(57)【要約】【課題】軽量で且つ強度と耐火性を備え、運搬及び設置が容易にできる火山防災用避難シェルタを提供する。【解決手段】山岳地帯であっても運搬及び設置が容易にできる火山防災用避難シェルタ１であって、基礎部２とその基礎部２の上に固定される本体部３とから構成され、本体部３は気泡コンクリートの外側及び内側の表面全体にポリウレア樹脂が積層され、基礎部２及び本体部３は複数のパーツ部材に分割されており、基礎部２の各パーツ部材に本体部３の各パーツ部材が載設された状態で各パーツ部材が相互に連結され、各連結部分がポリウレア樹脂で被覆されて強靭な継ぎ目のない塗膜が形成されている。【選択図】図１
2017186773.tif 000002
【特許請求の範囲】
【請求項１】
山岳地帯であっても運搬及び設置が容易にできる火山防災用避難シェルタであって、基礎部とその基礎部の上に固定される本体部とから構成され、前記本体部は気泡コンクリートの外側及び内側の表面全体にポリウレア樹脂が積層され、前記基礎部及び前記本体部は複数のパーツ部材に分割されており、前記基礎部の各パーツ部材に前記本体部の各パーツ部材が載設された状態で前記各パーツ部材が相互に連結され、前記各連結部分がポリウレア樹脂で被覆されて強靭な継ぎ目のない塗膜が形成されていることを特徴とする火山防災用避難シェルタ。
【請求項２】
前記本体部は気泡コンクリートの外側及び内側の表面にアラミド繊維が配置され、その上にポリウレア樹脂が積層されていることを特徴とする請求項１に記載の火山防災用避難シェルタ。
【請求項３】
前記本体部の前記各パーツ部材は側面視アーチ形の屋根部を有し、前記本体部の山側に面する後部パーツ部材が平面視円弧状に形成され、前記本体部の山側とは反対側に面する前部パーツ部材に開放入口又はドア付入口が設けられていることを特徴とする請求項１又は請求項２に記載の火山防災用避難シェルタ。
【発明の詳細な説明】
【技術分野】
【０００１】
本発明は、活火山における退避壕等又は山岳地帯の土石流等緊急避難場所として災害発生時に一時的に避難する火山防災用避難シェルタに関するものである。
【背景技術】
【０００２】
火山大国である日本においては、噴火の際に発生する噴石から登山者等を守る安全対策が重要課題であり、平成２６年９月に発生した御嶽山での噴火により死亡した人の多くが、噴石が当たったことによる「損傷死」といわれており、この噴火災害を契機として、さらなる対応が急務となっている。また、阿蘇山や桜島など、頻繁に噴火する火山を中心に整備が進んでいる一方、付近に人が住んでいない火山などでは、避難施設がないことも判明している。
【０００３】
また、平成２７年１２月内閣府（防災担当）が公表した「活火山における退避壕等の充実に向けた手引き」によると、鉄筋コンクリート造の退避壕としては、現場打ちコンクリートにより施工するタイプと、既製品のボックスカルバート等を設置する場合等がある。鉄筋コンクリート造の退避壕は、現場への資機材の搬入の容易さ等により大きく施工性が異なることから、それぞれの火山の実状に応じた対策が必要であるとの説明がされている。
【０００４】
従来は、突発性の高い比較的小規模な噴火に際し、一時的な安全確保のために避難壕へ避難することが有効とされ、鉄筋コンクリート製のシェルター建設などが呼びかけられていた。しかし、高地への資材や重機の輸送などのため工期や費用の面で負担が大きく、具体的な対応が遅れているのが現状である。また、鉄筋などの資材には、過酷な気象条件において経年劣化が激しいという問題もあることから、施工に際して作業効率が良く、かつ強度や耐久性に優れる素材が求められている。
【０００５】
一方、運搬又は組立の容易化を図ることを目的とする組立シェルタについては、例えば、以下のような発明が提案されている。
【０００６】
特開平７−３２４４９８号公報（特許文献１）には、トラック等を使用して部材を搬送出来ない山頂に無線中継所等を設ける際のシェルターを得ることを目的とし、基礎ブロック上に基礎レールをわたし、その上にユニットを固定すると共にユニット同志を固定する「組立シェルター」が提案されている。
【０００７】
また、特開平９−８８３７３号公報（特許文献２）には、運搬、組立の容易化を図るとともに、地震発生時などの迅速な逃げ込みを可能にし、しかも、地震時などの倒壊物又は落下物の負荷に十分に耐え得る組立式シェルターを提供することを目的とし、固定台と、その固定台の上に横転して固定された円筒体とからなる。固定台の上面には、円筒体の互いに反対側において設けられ、円筒体の外側面に当接して固定する固定部材を有する。円筒体は、円弧角がすべて等しい矩形湾曲板の直辺に外側に屈曲された結合縁を形成してなる複数枚の単位板体を、隣接する結合縁同志を平面において突き合わせ、かつ、締結部材により締結してなる。円筒体の内側底部に床部材を固定して、その床部材の上面と円筒体の上部内壁面との間に退避空間が形成してある「組立式耐震シェルター」が提案されている。
【先行技術文献】
【特許文献】
【０００８】
【特許文献１】特開平７−３２４４９８号公報
【特許文献２】特開平９−８８３７３号公報
【発明の概要】
【発明が解決しようとする課題】
【０００９】
本発明は、活火山における退避壕等又は山岳地帯の土石流等緊急避難場所に着目して鋭意考案したものであり、軽量で且つ強度と耐火性を備え、運搬及び設置が容易にできる火山防災用避難シェルタを提供することを目的とする。
【課題を解決するための手段】
【００１０】
上記の課題を解決するために、請求項１に記載の発明は、山岳地帯であっても運搬及び設置が容易にできる火山防災用避難シェルタであって、基礎部とその基礎部の上に固定される本体部とから構成され、前記本体部は気泡コンクリートの外側及び内側の表面全体にポリウレア樹脂が積層され、前記基礎部及び前記本体部は複数のパーツ部材に分割されており、前記基礎部の各パーツ部材に前記本体部の各パーツ部材が載設された状態で前記各パーツ部材が相互に連結され、前記各連結部分がポリウレア樹脂で被覆されて強靭な継ぎ目のない塗膜が形成されていることを特徴とする。
【００１１】
また、請求項２に記載の発明は、請求項１に記載の前記本体部は気泡コンクリートの外側及び内側の表面にアラミド繊維が配置され、その上にポリウレア樹脂が積層されていることを特徴とする。
【００１２】
また、請求項３に記載の発明は、請求項１又は請求項２に記載の前記本体部の前記各パーツ部材は側面視アーチ形の屋根部を有し、前記本体部の山側に面する後部パーツ部材が平面視円弧状に形成され、前記本体部の山側とは反対側に面する前部パーツ部材に開放入口又はドア付入口が設けられていることを特徴とする。
【発明の効果】
【００１３】
以上のように、本発明にかかる火山防災用避難シェルタによれば、基礎部及び本体部は複数のパーツ部材に分割されているので、設置場所に応じて大きさを変えることが可能である。また、本体部は気泡コンクリートの外側及び内側の表面全体にポリウレア樹脂が積層されているので、気泡コンクリートの軽量特性を生かし且つ分割することで山岳部のような場所へもヘリコプター等にて容易に運ぶことが可能である。さらに、連結部分がポリウレア樹脂で被覆されて強靭な継ぎ目のない塗膜が形成されているので、ポリウレア樹脂の特性を生かし現場において容易に被覆することが可能である。
【００１４】
また、気泡コンクリートの外側及び内側の表面にアラミド繊維が配置され、その上にポリウレア樹脂が積層されているので、アラミド繊維の特性を生かし噴石への衝撃耐力を向上させることが可能である。
【００１５】
また、本体部の各パーツ部材は側面視アーチ形の屋根部を有し、本体部の山側に面する後部パーツ部材が平面視円弧状に形成されているので、土石流等から受ける衝撃を分散させることが可能である。
【図面の簡単な説明】
【００１６】
【図１】本発明にかかる火山防災用避難シェルタの一例を示す正面図である。
【図２】本発明にかかる火山防災用避難シェルタの一例を示す右側面図である。
【図３】本発明にかかる火山防災用避難シェルタの一例を示す左側面図である。
【図４】本発明にかかる火山防災用避難シェルタの一例を示す平面図である。
【図５】図１に示す火山防災用避難シェルタの断面説明図である。
【図６】図２に示す火山防災用避難シェルタの断面説明図である。
【図７】本発明にかかる火山防災用避難シェルタの本体部構造の一例を示す拡大断面図である。
【図８】本発明にかかる火山防災用避難シェルタの本体部構造の他例を示す拡大断面図である。
【発明を実施するための形態】
【００１７】
以下、本発明にかかる火山防災用避難シェルタの実施の一形態について図面を参酌しながら説明する。図１は本発明にかかる火山防災用避難シェルタの一例を示す正面図、図２はその右側面図、図３はその左側面図、図４はその平面図、図５及び図６はその断面説明図である。
【００１８】
避難シェルタ１は、図１乃至図４に示すように、基礎部２とその基礎部２の上に固定される本体部３とから構成され、その内部に避難空間５が形成される。避難シェルタ１の本体部３は、図５又は図６に示すように、気泡コンクリート層１０の外側及び内側の表面全体にポリウレア樹脂層２０が積層されており、軽量で且つ強度と耐火性を備えることが可能になる。このポリウレア樹脂の製品特性については、後で詳述する。また、図７に示すように、気泡コンクリート層１０の外側及び内側の表面にアラミド繊維層３０を配置して、その上にポリウレア樹脂層２０を積層することにより、噴石への衝撃耐力が向上し、又強度が高く施工が容易で火山性ガスに伴う酸による防錆性にも優れる。さらに、図８に示すように、ポリウレア樹脂層２０とアラミド繊維層３０を繰り返し積層することにより一層強靭な壁を作ることができる。なお、この積層回数は図示する内容に限定されるものではない。
【００１９】
避難シェルタ１の基礎部２及び本体部３は、図１又は図５に示すように、複数のパーツ部材に分割されており、現場において、基礎部２（前部パーツ部材２１、中間パーツ部材２２、２３、後部パーツ部材２４）に本体部３（前部パーツ部材３１、中間パーツ部材３２、３３、後部パーツ部材３４）が載設されるとともに、各パーツ部材が相互に連結される。このように、気泡コンクリートの軽量特性を生かし且つ、基礎部２及び本体部３を分割することで山岳部のような場所へもヘリコプター等にて容易に運ぶことが可能になる。また、中間パーツ部材の数を変更することにより、設置場所に応じて大きさを変えることが可能である。
【００２０】
また、基礎部２（前部パーツ部材２１、中間パーツ部材２２、２３、後部パーツ部材２４）及び本体部３（前部パーツ部材３１、中間パーツ部材３２、３３、後部パーツ部材３４）の各連結部分４０、４１、４２がポリウレア樹脂で被覆されている。このように、ポリウレア樹脂の特性を生かし、現場にて容易に被覆することができ、強靭な継ぎ目のない塗膜が形成される。このポリウレア樹脂吹付工法については、後で詳述する。
【００２１】
本体部３の各パーツ部材３１，３２，３３，３４は、図１乃至図４に示すように、側面視アーチ形の屋根部を有している。また、本体部３の山側に面する後部パーツ部材３４は、平面視円弧状に形成されている。これにより、山上からの噴石又は土石流等をかわすことができる。
【００２２】
また、本体部３の山側とは反対側に面する前部パーツ部材３１には、図３に示すように、開放入口４が設けられている。なお、開放入口４の代わりにドア付入口（図示省略）を設けて密閉にすることも可能である。
【００２３】
次に、本発明にかかる火山防災用避難シェルタに使用するポリウレア樹脂と工法の特長について説明する。ポリウレア樹脂は、米国のＲｈｉｎｏ  Ｌｉｎｉｎｇｓ  Ｃｏｒｐｏｒａｔｉｏｎ（以下、ライノライニングス社という）製のポリウレア製品「ライノ・エクストリーム（ＴＭ）」、「ライノ・エココート（ＴＭ）」、「ライノ・タフグリップ（ＴＭ）」等が用いられる。
【００２４】
表１は、ライノ・ポリウレア製品と工法（パンフレット）に記載の製品情報である。また、表２は、製品特性・施工事例（パンフレット）に記載の製品性能及び各製品の特性比較である。
【００２５】
【表１】
2017186773.tif 000003
【００２６】
【表２】
2017186773.tif 000004
【００２７】
また、ライノライニングス社が説明するポリウレア樹脂吹付工法は、下記の通りである（２０１５年９月  東京ライノ株式会社事業説明資料）。
ポリウレア樹脂は、１９８０年代にプラスチック成形材として開発され、１９９０年代に各種用途に展開が進んだ比較的新しい樹脂。ポリイソシアネート化合物（Ａ液）と活性水素を持つアミン化合物（Ｂ液）をスプレーガンで衝突混合させ化学反応でポリウレア結合が生成。その最大の特徴は、高反応性（超速硬化）、強靭な物性；引裂強度・引張強度・伸び性・薬品性・摩耗性等、さらに無溶剤、無触媒なので環境にもやさしいエラストマー（弾性特性をもつ高分子結合物）。そして、ポリウレア樹脂吹付工法の特長が５つ記載されている。
（１）特長１
２液混合の化学反応による希薄な膜厚（１．５ｍｍ〜３ｍｍ）で強靭な保護層を形成。
（２）特長２
超速乾硬化（４〜２０秒）と短時間での完全硬化で迅速なサービス再開が可能。
（３）特長３
スプレー工法による１工程でシームレス（継ぎ目がない）かつ一体の被膜面の形成と速乾硬化で工期の短縮が可能。
（４）特長４
コンクリートを始め金属、木材、鉄板、プラスチック樹脂などほぼあらゆる基材に付着するので、多種多様な施工展開が可能。
（５）特長５
無溶剤、無触媒なので環境にやさしく、さらに耐薬品性、耐久性にも優れているので、水槽、タンク、ピットなどの防水、防食、防錆工事に最適。同時にその強靭な物性特性によりコンクリート剥落防止、耐衝撃性、耐爆性を実現。２次的封じ込めを始め土木工事にも最適。
【００２８】
上記のようにライノライニングス社製のポリウレア製品は、対衝撃・防爆・防錆・防蝕・防水・耐熱・耐磨耗・耐塩害・耐薬品・滑り止め・細菌の繁殖防止等の性能を高める等の効果を発揮する。本発明にかかる火山防災用避難シェルタの本体部は気泡コンクリートの外側及び内側の表面全体にポリウレア樹脂が積層されているので、気泡コンクリートの軽量特性を生かし且つ分割することで山岳部のような場所へもヘリコプター等にて容易に運ぶことができる。さらに、連結部分がポリウレア樹脂で被覆されて強靭な継ぎ目のない塗膜が形成されているので、ポリウレア樹脂の特性を生かし現場において容易に被覆することができる。加えて、内外皮膜は、高機能繊維（アラミド繊維）をポリウレア樹脂でコーティング被覆を重ね厚みを持たすことでさらに強靭な壁を作ることができる。
【符号の説明】
【００２９】
１  避難シェルタ
２  基礎部
２１  前部パーツ部材
２２  中間パーツ部材
２３  中間パーツ部材
２４  後部パーツ部材
３  本体部
３１  前部パーツ部材
３２  中間パーツ部材
３３  中間パーツ部材
３４  後部パーツ部材
４  入口
５  避難空間
１０  気泡コンクリート層
２０  ポリウレア樹脂層
３０  アラミド繊維層
４０  連結部分
４１  連結部分
４２  連結部分
【図１】
2017186773.tif 000005
【図２】
2017186773.tif 000006
【図３】
2017186773.tif 000007
【図４】
2017186773.tif 000008
【図５】
2017186773.tif 000009
【図６】
2017186773.tif 000010
【図７】
2017186773.tif 000011
【図８】
2017186773.tif 000012